(57)【要約】【課題】  自動改札機による入出場可否の判定結果を、より分かり易く確実に利用者に知らせることができ、利用者がスムーズに自動改札機を通過することを可能とする携帯端末装置を提供する。【解決手段】  携帯電話１は、通信部２、操作部３、振動部４、制御部５、電源６、非接触ＩＣカード機能部７を具備している。自動改札機１０は、無線リーダ／ライタ部１１と、入出場処理を行う改札機制御部１２とを具備している。携帯電話１では、非接触ＩＣカード機能部７による自動改札機１０との通信により入出場が許可されたことを知らせるための振動部４の振動パターンと、入出場が不許可とされたことを知らせるための振動部４の振動パターンとが、夫々異なった振動パターンとなるように設定されている。【選択図】図１
2006031112.tif 000002
【特許請求の範囲】
【請求項１】
通信網を介して通信を行うための通信手段と、
振動を生じさせる振動手段と、
自動改札機の無線リーダ／ライタとの間で、入出場処理のためのデータの授受を行う非接触ＩＣカードの機能を有する非接触ＩＣカード機能手段と、
前記非接触ＩＣカード機能手段で受信した前記自動改札機からの入出場処理の結果が入出場許可の場合に前記振動手段を第１の振動パターンで振動させ、前記自動改札機からの入出場処理の結果が入出場不許可の場合に前記振動手段を前記第１の振動パターンとは異なる第２の振動パターンで振動させる制御手段と
を具備したことを特徴とする携帯端末装置。
【請求項２】
前記第１の振動パターンと、前記第２の振動パターンを、複数の振動パターンの中から設定可能としたことを特徴とする請求項１記載の携帯端末装置。
【請求項３】
前記制御手段は、前記通信手段による通信の着信時に前記振動手段を振動させる動作モードが選択されているか否かにかかわらず、前記非接触ＩＣカード機能手段で受信した前記自動改札機からの入出場処理の結果が入出場許可の場合に前記振動手段を第１の振動パターンで振動させ、前記自動改札機からの入出場処理の結果が入出場不許可の場合に前記振動手段を前記第１の振動パターンとは異なる第２の振動パターンで振動させることを特徴とする請求項１又は２記載の携帯端末装置。
【請求項４】
前記制御手段は、前記通信手段による通信の着信時に前記振動手段を振動させる動作モードが選択されている場合に、前記通信手段による通信の着信があったのに基づき、前記第１及び第２の振動パターンとは異なる第３の振動パターンで前記振動手段を振動させることを特徴とする請求項３記載の携帯端末装置。
【発明の詳細な説明】
【技術分野】
【０００１】
本発明は、携帯電話やＰＨＳ等の携帯端末装置に係り、特に自動改札機の無線リーダ／ライタとの間で情報の授受を行う非接触式ＩＣカードの機能を具備した携帯端末装置に関する。
【背景技術】
【０００２】
近年、駅舎等に設置される自動改札機においては、無線リーダ／ライタを具備し、利用者が所持し、かざした非接触式ＩＣカードの情報を読み取り、この情報に基づいて入出場処理を行い、この入出場処理の結果情報を、非接触式ＩＣカードに書き込む処理を行うものが増えている。
【０００３】
この場合の非接触式ＩＣカードは、内部にバッテリ等の駆動電源や、表示、音源などの機能を具備しておらず、無線リーダ／ライタからの誘導電力によりＩＣ回路の動作を行い、必要情報を記憶保持する。そして、案内情報や音の発生等は、非接触式ＩＣカード自体では行わない。
【０００４】
一方、自動改札機側では、非接触式ＩＣカードに記憶保持されたデータを読取り、入出場処理を行って入出場の可否を判定した結果、入出場が許可された場合、入出場が不許可とされた場合、夫々の結果に応じて、ブザーやランプ及び扉の開閉動作等によって、その旨を利用者に知らせるようにしている。
【０００５】
また、非接触式ＩＣカードの本体に当該本体を振動させる振動手段を設け、或いは、非接触式ＩＣカード機能を具備した携帯電話等においてはその振動手段を利用して、入出場が許可された場合に振動手段を振動させるか、又は入出場が不許可とされた場合に振動手段を振動させることによって利用者に入出場の可否を知らせるようにすることも提案されている（例えば、特許文献１参照。）。
【特許文献１】特開２００４−７８７３３号公報（２−４頁、１−３図）
【発明の開示】
【発明が解決しようとする課題】
【０００６】
上述した背景技術のうち、自動改札機側でのみ入出場可否の判定結果を利用者に知らせる方法では、複数台の自動改札機が設置されていて多数の利用者が同時に自動改札機を通過している場合等においては、ブザー音がどの自動改札機から発せられているのか分かり難く、自分に対する警報音なのか判断し難いという課題がある。また、視覚や聴覚に障害がある利用者の場合、入出場可否の判定結果が分かり難いという課題もある。
【０００７】
また、振動手段による振動の有無で入出場可否の判定結果を利用者に知らせる場合、例えば、何等かの不具合で振動が生じなかった場合は、利用者が判定結果を誤って認識してしまうという課題がある。
【０００８】
そして、入出場可否の判定結果が利用者に確実に伝わらない場合、利用者が自動改札機をスムーズに通過することができないという課題が生じる。
【０００９】
本発明は、かかる従来の事情に対処してなされたもので、自動改札機による入出場可否の判定結果を、より分かり易く確実に利用者に知らせることができ、利用者がスムーズに自動改札機を通過することを可能とする携帯端末装置を提供しようとするものである。
【課題を解決するための手段】
【００１０】
本発明の携帯端末装置は、通信網を介して通信を行うための通信手段と、振動を生じさせる振動手段と、自動改札機の無線リーダ／ライタとの間で、入出場処理のためのデータの授受を行う非接触ＩＣカードの機能を有する非接触ＩＣカード機能手段と、前記非接触ＩＣカード機能手段で受信した前記自動改札機からの入出場処理の結果が入出場許可の場合に前記振動手段を第１の振動パターンで振動させ、前記自動改札機からの入出場処理の結果が入出場不許可の場合に前記振動手段を前記第１の振動パターンとは異なる第２の振動パターンで振動させる制御手段とを具備したことを特徴とする。
【発明の効果】
【００１１】
本発明によれば、自動改札機による入出場可否の判定結果を、より分かり易く確実に利用者に知らせることができ、利用者がスムーズに自動改札機を通過することを可能とする携帯端末装置を提供することができる。
【発明を実施するための最良の形態】
【００１２】
以下、本発明の詳細を、実施の形態について図面を参照して説明する。
【００１３】
図１は、本発明の実施形態に係る携帯端末装置の構成を示すもので、図において符号１は、携帯端末装置としての携帯電話を示している。この携帯電話１は、通信網を介して音声通信やメールの送受信等の通信を行う通信部２、押しボタン等を具備した操作部３、モータ等を具備し筐体を振動させることによって着信等を知らせるための振動部４、これらの通信部２、操作部３、振動部４を制御するための制御部５及び電源６を具備している。
【００１４】
また、携帯電話１は、上記の通常の携帯電話としての機能の他に、非接触ＩＣカードの機能を有する非接触ＩＣカード機能部７を具備している。この非接触ＩＣカード機能部７は、通常の非接触ＩＣカードと同様に、誘導電力によって動作する構成となっているが、携帯電話１の電源６からの電力で動作するよう構成することもできる。
【００１５】
また、図１において１０は、自動改札機であり、この自動改札機１０は、上記した非接触ＩＣカード機能部７とのデータの授受を行うための無線リーダ／ライタ部１１と、この無線リーダ／ライタ部１１によって非接触ＩＣカード機能部７から読み込んだデータに基づいて入出場処理を行い、必要なデータを無線リーダ／ライタ部１１を介して非接触ＩＣカード機能部７に書き込む改札機制御部１２とを具備している。
【００１６】
振動部４における振動パターンは、少なくとも４種類設定可能とされている。この振動パターンとしては、例えば、断続的な振動における１回の震動時間が比較的長い時間続く「ブー、ブー、……」の振動パターン、１回の震動時間が比較的短い「ブッ、ブッ、……」の振動パターンや、これらを組み合わせて交互に振動させる振動パターンがある。また、他の振動パターンとしては、振動と振動との間の休止時間の長さに長短を持たせ、例えば、「ブッ、ブッ」と比較的短い休止間隔で２回振動させた後比較的長い休止間隔を設ける振動パターン、さらに、「ブッ、ブッ、ブッ」と比較的短い休止間隔で３回振動させた後比較的長い休止間隔を設ける振動パターン等がある。その他、どのような振動パターンも採用することができる。
【００１７】
そして、携帯電話１では、非接触ＩＣカード機能部７による自動改札機１０との通信により、入出場が許可されたことを知らせるための振動パターン（第１の振動パターン）と、入出場が不許可とされたことを知らせるための振動パターン（第２の振動パターン）とが、夫々異なった振動パターンとなるように設定されている。これらの振動パターンは、操作部３を介して利用者が予め選択し、設定できるようになっている。
【００１８】
さらに、上記の２種類の振動パターンに加えて、通信部２において着信したのに基づき、音ではなく振動によって着信を知らせるマナーモードに設定した際に、通信部２で着信したことを知らせるための振動パターンを、上記の入出場が許可されたことを知らせるための振動パターン及び入出場が不許可とされたことを知らせるための振動パターンとは異なった振動パターンに設定できるよう構成されている。このマナーモードにおいては、音声通信の着信を知らせるための振動パターン（第３の振動パターン）と、メールの着信を知らせるための振動パターン（第４の振動パターン）の２種類の振動パターンを設定できるようになっており、合計４種類の振動パターンの設定が可能となっている。
【００１９】
次に、図２を参照して携帯電話１の動作について説明する。携帯電話１の非接触ＩＣカード機能部７を、自動改札機１０の無線リーダ／ライタ部１１に近付けると、無線リーダ／ライタ部１１からの誘導電力によって非接触ＩＣカード機能部７が動作可能な状態となる。そして、改札機制御部１２から無線リーダ／ライタ部１１を介してＰＯＬＬ信号を受信すると、非接触ＩＣカード機能部７はＡＣＫ信号を送信する。
【００２０】
次に、このＡＣＫ信号を受信した改札機制御部１２からの認証信号を受信すると、非接触ＩＣカード機能部７は応答信号を送信して認証を行う。
【００２１】
この後、改札機制御部１２からの読取コマンドを受信すると、非接触ＩＣカード機能部７は、メモリ（図示せず）に記憶されている読取データを送信する。
【００２２】
読取データを受信した改札機制御部１２では、入出場処理によって入出場の可否を判定するとともに、非接触ＩＣカード機能部７のメモリに必要な情報を書込むための書込みコマンドパケット内にこの判定結果情報を組み込んで送信する。
【００２３】
この書込みコマンドを受信した非接触ＩＣカード機能部７は、書込みコマンドに応じたデータの書込みを行うとともに、判定結果を制御部５に送る。そして、改札機制御部１２に対してＡＣＫ信号を送信する。
【００２４】
また、図３に示すように、非接触ＩＣカード機能部７から判定結果を受けた制御部５では（１０１）、この判定結果が入出場許可であるか入出場不許可であるかを判断する（１０２）。
【００２５】
そして、入出場許可の場合、第１の振動パターン（例えば、断続的な振動における１回の震動時間が比較的短い「ブッ、ブッ、……」の振動パターン）で振動部４を振動させ  （１０３）、所定時間（例えば数秒程度）振動させた後（１０４）、振動部４の振動を停止させる。
【００２６】
一方、入出場不許可の場合、第２の振動パターン（例えば、断続的な振動における１回の震動時間が比較的長い時間続く「ブー、ブー、……」の振動パターン）で振動部４を振動させ（１０５）、所定時間（例えば数秒程度）振動させた後（１０６）、振動部４の振動を停止させる。
【００２７】
これにより、利用者は、携帯電話１を握った手等によって感じることのできる振動パターンで、入出場が許可されたか不許可とされたかを知ることができる。
【００２８】
したがって、複数台の自動改札機が設置されていて多数の利用者が同時に自動改札機を通過している場合等においても、また、視覚や聴覚に障害がある利用者の場合においても、入出場可否の判定結果を分かり易く確実に知らせることができ、利用者がスムーズに自動改札機を通過することを可能とすることができる。
【００２９】
また、仮に何らかの不具合があり、振動部４が振動しなかった場合は、入出場可否の判定結果とは関係なく、その不具合が発生したことを認識することができる。このような場合、自動改札機１０側においては、従来と同様に、ブザーやランプ及び扉の開閉動作等によって、入出場が許可されたか不許可とされたかを利用者に知らせるようになっているので、この自動改札機１０側の動作によって利用者は入出場が許可されたか不許可とされたかを知ることができる。
【００３０】
なお、上記の入出場許可及び入出場不許可を通知するための振動部４の振動は、携帯電話１の動作モードとして前述したマナーモードが選択されているか、否かに関わらず生じるように構成されている。また、マナーモードが選択されているか、否かに関わらず、利用者の選択により、上記のような入出場可否の判定結果を知らせるための振動部４の振動を生じさせないように設定することもできる。
【図面の簡単な説明】
【００３１】
【図１】本発明の実施形態の構成を示す図。
【図２】図１の実施形態の動作を説明するための図。
【図３】図１の実施形態の動作を説明するための図。
【符号の説明】
【００３２】
１…携帯電話、２…通信部、３…操作部、４…振動部、５…制御部、６…電源、７…非接触ＩＣカード機能部、１０…自動改札機、１１…無線リーダ／ライタ部、１２…改札機制御部。
【図１】
2006031112.tif 000003
【図２】
2006031112.tif 000004
【図３】
2006031112.tif 000005